(57)【要約】      （修正有）【課題】重曹の持つ多面的用途特性を充分に活用しえる重曹収納容器を提供すること。【解決手段】容器本体１は、その内面に多孔性シートを有し、多孔性シートの存在する側壁の一部に、多孔性シートから分離して切り取られる第１領域１１を有するとともに、多孔性シートの存在しない状態で、容器本体１の内部に直接開口される第２領域１２を有している。重曹２は、粉末状であって、多孔性シートの最大孔径よりも大きい粒径を有し、容器本体１の内部に収納されている。【選択図】図１
2009202896.tif 000002
【特許請求の範囲】
【請求項１】
容器本体と、重曹とを含む重曹収納容器であって、
前記容器本体は、その内面に多孔性シートを有し、前記多孔性シートの存在する側壁の一部に、前記多孔性シートから分離して開口可能な第１領域を有するとともに、前記多孔性シートの存在しない状態で前記容器本体の内部に開口可能な第２領域を有しており、
前記重曹は、粉末状であって、前記多孔性シートの最大孔径よりも大きい粒径を有し、前記容器本体の内部に収納されている、
重曹収納容器。
【発明の詳細な説明】
【技術分野】
【０００１】
本発明は、重曹の持つ多面的用途特性を充分に利用しえる重曹収納容器に関する。
【背景技術】
【０００２】
重曹が、脱臭、消毒、洗浄、又は研磨など、多面的用途において有効であることは、例えば、特許文献１に開示されている。また、日常生活でも既に実用に供されている。
【０００３】
しかし、従来は、脱臭、消毒、洗浄などの用途毎に、その用途に対応した形態で商品化されており、ユーザは、その商品の形態に応じて、脱臭専用、消毒専用又は洗浄専用として使用せざるを得なかった。例えば、脱臭用として提供されたものは、その商品形態として、消毒や洗浄に適した商品形態にはなっておらず、ユーザは、脱臭用として専用する他はなかった。このため、従来は、多面的用途を持つ重曹の特性を、充分に活かすことができなかった。
【特許文献１】特表２０００−５１５２０４
【発明の開示】
【発明が解決しようとする課題】
【０００４】
本発明の課題は、重曹の持つ多面的用途特性を充分に活用しえる重曹収納容器を提供することである。
【課題を解決するための手段】
【０００５】
上述した課題を解決するため、本発明に係る重曹収納容器は、容器本体と、重曹とを含む。容器本体は、その内面に多孔性シートを有し、多孔性シートの存在する側壁の一部に、前記多孔性シートから分離して開口される第１領域を有するとともに、多孔性シートの存在しない状態で容器本体１の内部に開口される第２領域を有している。重曹は、粉末状であって、多孔性シートの最大孔径よりも大きい粒径を有し、容器本体の内部に収納されている。
【０００６】
上述したように、本発明に係る重曹収納容器において、容器本体は、その内面に多孔性シートを有し、側壁の一部に、前記多孔性シートから分離して開口可能な第１領域を有しており、重曹は容器本体の内部に収納されているから、使用に当たり、第１領域を開口させて第１開口部を生じさせることにより、重曹の蒸発成分を、第１開口部から外部に放散し、周囲の臭いを消臭する脱臭作用に供することができる。重曹は粉末状であるから、限られた容器本体の内部容積において、重曹の表面積を増大させ、高い消臭作用が得られる。
【０００７】
しかも、重曹は、多孔性シートの最大孔径よりも大きい粒径を有しているから、第１領域に生じた第１開口部から、粉末状の重曹が外部に漏出することがない。従って、消臭用途において、周囲が重曹粉末によって汚れることもない。
【０００８】
更に、容器本体は、多孔性シートの存在しない状態で、容器本体の内部に開口可能な第２領域を有しているから、例えば３ヶ月の長期の脱臭用途に供した後、第２領域に第２開口部を生じさせ、容器本体の内部に収納されている重曹を、第２開口部をとおして外部に取り出し、洗浄、消毒又は研磨などの用途に供することができる。
【発明の効果】
【０００９】
以上述べたように、本発明によれば、重曹の持つ多面的用途特性を充分に活用しえる重曹収納容器を提供することができる。
【００１０】
本発明の他の目的、構成及び利点については、添付図面を参照し、更に詳しく説明する。添付図面は、単に、例示に過ぎない。
【発明を実施するための最良の形態】
【００１１】
図１は本発明に係る重曹収納容器の外観斜視図、図２は図１の２−２線断面図である。図示された重曹収納容器は、容器本体１と、重曹２とを含む。
【００１２】
容器本体１は、例えば、牛乳パックなどに見られるような厚手の紙製品で構成され、好ましくは、その内面に、この種の紙製品で周知のコーティングがほどこされている。容器本体１は、その内面に多孔性シート３を有する。
【００１３】
多孔性シート３は、容器本体１の底面及び上面を除く側面のほぼ全面に、例えば接着などの手段によって付着させることが好ましい。多孔性シート３は、一枚の不織不などによって構成することもできるが、この実施の形態では、比較的粗い目を持つ第１シート３１の外面に、細かい孔を持つ第２シート３２を張り合わせた構造を持っている。第２シート３２は、第１シート３１の内面又は外面及び内面の両面に設けてもよい。多孔性シート３の具体例としては、出光ユニテック株式会社製のＭＥＭ１０６０を用いることができる。この製品は、複合不織布であって、ＰＥＴ（ポリエステル樹脂）繊維とＬーＬＤＰＥ（直鎖状低密度ポリエチレン樹脂）繊維との積層タイプのシートである。
【００１４】
容器本体１は、多孔性シート３の存在する側壁の一部に、切り取り可能な第１領域１１を有する。第１領域１１は、容器本体１の全体厚みを貫通しないような深さで形成されたミシン目１１１によって画定されている。従って、第１領域１１は、ミシン目１１１に沿って切り取ることができる。図示実施例では、第１領域１１は、相対する両側壁に設けられているが、上面或いは他の側壁面に設けてもよい。
【００１５】
更に、容器本体１は、多孔性シート３の存在しない状態で容器本体１の内部に開口するように切り取られ得る第２領域１２を有している。第２領域１２は、容器本体１の全体の厚みを貫通しないような深さで形成されたミシン目１２１によって画定されている。従って、第２領域１２は、ミシン目１２１に沿って切り離すことができる。この実施の形態では、上面と側壁面との稜線には、ミシン目は入っていない。また、第２領域１２に相当する位置には、多孔性シート３は存在していない。もっとも、第２領域１２の内面に、一体的に、他の部分から分離された多孔性シートが存在していてもよい。
【００１６】
重曹２は、粉末状であって、多孔性シート３の最大孔径よりも大きい粒径を有し、容器本体１の内部に収納されている。重曹２の粒径が細かいほど、表面積が大きくなり、脱臭作用が高くなることが期待できる。実施例では、８０メッシュの篩を用いて選択した粒径８０メッシュ以下の粉末状重曹を用いた。このような細かい粒子を持つ粉末状重曹は、例えば、モンゴル産重曹を原料として用いることにより、得ることができる。
【００１７】
図３は、図１及び図２に示した重曹収納容器を、脱臭用として使用する場合の状態を示し、図４は図３の４−４線断面図である。本発明に係る重曹収納容器において、容器本体１は、その内面に多孔性シート３を有し、側壁の一部に、切り取り可能な第１領域１１を有しており、重曹２は容器本体１の内部に収納されているから、使用に当たり、第１領域１１を切り取ることにより、第１開口部１１０を生じさせ、重曹２の蒸発成分を、矢印Ｆ１で示すように、第１開口部１１０から外部に放散し、周囲の臭いを消臭する脱臭作用に供することができる。また、重曹２は、最大でも例えば８０メッシュ程度の微粒子粉末であるから、限られた容器本体１の内部容積において、重曹２の表面積を増大させ、高い消臭作用を得ることができる。
【００１８】
しかも、重曹２は、多孔性シート３の最大孔径よりも大きい粒径を有しを有するから、第１領域１１に生じた第１開口部１１０から、粉末状の重曹２が外部に漏出することがない。従って、消臭用途において、周囲が重曹粉末によって汚れることもない。
【００１９】
図５及び図６は、図３及び図４に示した脱臭用途に供された後、洗浄又は消毒などの用途に供する場合の状態を示している。容器本体１は、多孔性シート３の存在しない状態で、容器本体１の内部に直接に開口するように切り取られる第２領域１２を有しているから、例えば３ヶ月の長期の脱臭用途に供した後、図５に示したように、第２領域１２を切り取って第２開口部１２０を生じさせ、容器本体１の内部に収納されている重曹２を、第２開口部１２０をとおして、図６の矢印Ｒ１で示すようにして、外部に取り出し、洗浄、消毒又は研磨などの用途に供することができる。研磨の領域に入る具体的用途としては、クレンザー、歯磨き、肌の角質除去など、様々な用途が考えられる。
【００２０】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００２１】
【図１】本発明に係る重曹収納容器の外観斜視図である。
【図２】図１の２−２線断面図である。
【図３】図１及び図２に示した重曹収納容器を、脱臭用として使用する場合の状態を示す図である。
【図４】図３の４−４線断面図である。
【図５】図３及び図４に示した脱臭用途に供された後、洗浄又は消毒などの用途に供する場合の状態を示す図である。
【図６】図５に示した状態の後、洗浄又は消毒などの用途に供する場合の状態を示す図である。
【符号の説明】
【００２２】
１                  容器本体
１１                  第１領域
１２                  第２領域
２                  重曹
３                  多孔性シート
【図１】
2009202896.tif 000003
【図２】
2009202896.tif 000004
【図３】
2009202896.tif 000005
【図４】
2009202896.tif 000006
【図５】
2009202896.tif 000007
【図６】
2009202896.tif 000008